(57)【要約】【課題】電池モジュールの外面に配置されたハーネスの損傷を抑制する。【解決手段】一実施形態の電池モジュール１は、それぞれセルホルダ１０に保持された複数の電池セル７を配列してなる配列体３と、配列体３を電池セル７の配列方向Ｄ１に挟む一対のエンドプレート４Ａ，４Ｂと、配列体３の外面３ａに配置されたハーネス２１と、少なくとも一つのセルホルダ１０の側面１６ａに設けられ、ハーネス２１を支持する支持部２２と、を備える。エンドプレート４Ａ，４Ｂは、外面３ａよりも外方に突出する突出部２５を有し、外面３ａに対する突出部２５の突出量ｄ１は、外面３ａに対する支持部２２の突出量ｄ２以上である。【選択図】図１
2018037182.tif 000002
【特許請求の範囲】
【請求項１】
それぞれセルホルダに保持された複数の電池セルを配列してなる配列体と、
前記配列体を前記電池セルの配列方向に挟む一対のエンドプレートと、
前記配列体の前記配列方向に沿った外面に配置されたハーネスと、
少なくとも一つの前記セルホルダにおいて前記外面を構成する側面に設けられ、前記ハーネスを支持する支持部と、
を備え、
前記エンドプレートは、前記外面よりも外方に突出する突出部を有し、
前記外面に対する前記突出部の突出量は、前記外面に対する前記支持部の突出量以上である、
電池モジュール。
【請求項２】
前記ハーネスにおいて前記支持部に支持されていない少なくとも一部分には、前記ハーネスの外周面を覆う被覆部材が設けられており、
前記外面に対する前記突出部の突出量は、前記外面に対する前記支持部の突出量以上、且つ、前記ハーネスにおいて前記被覆部材が設けられた部分の直径以上である、
請求項１に記載の電池モジュール。
【請求項３】
前記突出部は、前記外面に交差する方向に延在する延在部と、前記延在部の先端部において前記配列方向に立設された立設部とを有する、
請求項１又は２に記載の電池モジュール。
【請求項４】
前記配列方向において互いに隣接する前記電池セルの間に配置される板状の伝熱プレートを更に備え、
前記伝熱プレートは、前記外面よりも外側に延在する延在部を有し、
前記外面に対する前記延在部の突出量は、前記外面に対する前記支持部の突出量以上である、
請求項１〜３のいずれか一項に記載の電池モジュール。
【請求項５】
前記突出部は、前記配列方向と前記外面に交差する方向とに交差する方向に対向する一対の突出部分を有する、
請求項１〜４のいずれか一項に記載の電池モジュール。
【発明の詳細な説明】
【技術分野】
【０００１】
本発明は、電池モジュールに関する。
【背景技術】
【０００２】
複数の電池セルが直列に配置された電池モジュールが知られている。電池モジュールには、電池セルの電力を送電するためのパワーライン及び電池セルの状態を制御装置に送信するための信号線等のハーネスが設けられる。例えば下記特許文献１には、電池モジュールの側面（各電池セルを保持する電池ホルダの側面）に、上記ハーネスを支持する支持部が設けられる構成が開示されている。
【先行技術文献】
【特許文献】
【０００３】
【特許文献１】特開２０１５−６０６５３号公報
【発明の概要】
【発明が解決しようとする課題】
【０００４】
ところで、例えば電池モジュールを電池パックに組み付ける際や電池モジュールを移動させる際等には、電池モジュールが転倒してしまい、電池モジュールにおいて支持部が設けられている側面が下面になってしまう場合があり得る。このような場合、支持部及び支持部に支持されたハーネスに荷重がかかり、支持部の損傷と共にハーネスの損傷（断線等）が生じるおそれがある。
【０００５】
そこで、本発明は、電池モジュールの外面に配置されたハーネスの損傷を抑制可能な電池モジュールを提供することを目的とする。
【課題を解決するための手段】
【０００６】
本発明の一側面に係る電池モジュールは、それぞれセルホルダに保持された複数の電池セルを配列してなる配列体と、配列体を電池セルの配列方向に挟む一対のエンドプレートと、配列体の配列方向に沿った外面に配置されたハーネスと、少なくとも一つのセルホルダにおいて外面を構成する側面に設けられ、ハーネスを支持する支持部と、を備え、エンドプレートは、外面よりも外方に突出する突出部を有し、外面に対する突出部の突出量は、外面に対する支持部の突出量以上である。
【０００７】
上記電池モジュールでは、少なくとも一つのセルホルダの側面にハーネスを支持する支持部が設けられており、配列体の配列方向両側に位置する一対のエンドプレートは、外面よりも外方に突出する突出部を有する。ここで、外面に対する突出部の突出量は、支持部の突出量以上とされている。このため、仮に一対のエンドプレート間の幅よりも大きい幅を有する物体（例えば電池モジュールを収容する筐体の壁部等）が配列体の外面に対して押し寄せたとしても、一対のエンドプレートによって支持部及びハーネスを保護することができる。すなわち、一対のエンドプレートの突出部が物体に当たることにより、物体と外面との距離が突出部の突出量よりも小さくならない。これにより、物体が支持部又はハーネスを押し潰してしまうことを抑制できる。従って、上記電池モジュールによれば、電池モジュールの外面に配置されたハーネスの損傷を抑制することができる。
【０００８】
上記電池モジュールでは、ハーネスにおいて支持部に支持されていない少なくとも一部分には、ハーネスの外周面を覆う被覆部材が設けられており、外面に対する突出部の突出量は、外面に対する支持部の突出量以上、且つ、ハーネスにおいて被覆部材が設けられている部分の直径以上であってもよい。
【０００９】
ハーネスにおいて被覆部材が設けられている部分（被覆部）の直径は、被覆部材が設けられていない部分の直径よりも被覆部材の厚さ分だけ大きくなる。その結果、支持部の突出量よりも被覆部の直径の方が大きくなる場合がある。上記構成によれば、エンドプレートの突出部の突出量は、支持部の突出量以上であり、且つ被覆部の直径以上となるように設定されているので、ハーネスの一部に被覆部材が設けられる場合にも、ハーネスの損傷を適切に抑制することができる。
【００１０】
上記電池モジュールでは、突出部は、外面に交差する方向に延在する延在部と、延在部の先端部において配列方向に立設された立設部とを有してもよい。
【００１１】
上記構成によれば、突出部において配列方向に折れ曲がる立設部が形成されることでエンドプレートの剛性を高めることができる。さらに、配列体の外面に対して物体が押し寄せた際に、立設部の側面全体によって、より確実に物体を受け止めることができる。
【００１２】
上記電池モジュールは、配列方向において互いに隣接する電池セルの間に配置される板状の伝熱プレートを更に備え、伝熱プレートは、外面よりも外側に延在する延在部を有し、外面に対する延在部の突出量は、外面に対する支持部の突出量以上であってもよい。
【００１３】
上記構成によれば、一対のエンドプレート間の幅よりも小さい幅を有する物体が配列体の外面に押し寄せてきた場合にも、伝熱プレートの延在部によって物体を受け止めることができる。これにより、配列体の外面に配置されたハーネスの損傷を一層効果的に抑制することができる。
【００１４】
上記電池モジュールでは、突出部は、配列方向と外面に交差する方向とに交差する方向に対向する一対の突出部分を有してもよい。
【００１５】
上記構成によれば、一対のエンドプレート間の幅よりも大きい幅を有する物体（例えば電池モジュールを収容する筐体の壁部等）が配列体の外面に対して押し寄せた場合、配列方向と外面に交差する方向とに交差する方向において、各エンドプレートの一対の突出部分によってバランス良く荷重を支えることができる。
【発明の効果】
【００１６】
本発明によれば、電池モジュールの外面に配置されたハーネスの損傷を抑制可能な電池モジュールを提供することができる。
【図面の簡単な説明】
【００１７】
【図１】第１実施形態の電池モジュールの外観を示す斜視図である。
【図２】図１の電池ユニットの分解斜視図である。
【図３】図１の電池モジュールにおいてエンドプレート、支持部、及びハーネスを含む部分の平面図である。
【図４】第２実施形態の電池モジュールの突出部、支持部、及びハーネスを含む部分の平面図である。
【図５】第３実施形態の電池モジュールの突出部、支持部、及びハーネスを含む部分の平面図である。
【図６】第４実施形態の電池モジュールの電池ユニットの分解斜視図である。
【図７】図６の電池モジュールの突出部、支持部、及びハーネスを含む部分の平面図である。
【図８】第５実施形態の電池モジュールの外観を示す斜視図である。
【発明を実施するための形態】
【００１８】
以下、図面を参照しながら、本発明の実施形態について詳細に説明する。なお、図面において同一要素には同一符号を付し、重複する説明を省略する。
【００１９】
［第１実施形態］
図１は、第１実施形態の電池モジュール１の外観を示す斜視図である。図１に示すように、電池モジュール１は、複数（一例として７個）の電池ユニット２を一方向（配列方向Ｄ１）に配列してなる配列体３を有する。配列方向Ｄ１における電池モジュール１の両端には、一対のエンドプレート４Ａ，４Ｂが設けられている。配列方向Ｄ１における配列体３の両端には、エンドプレート４Ａと中間プレート５とが配置されている。エンドプレート４Ａ，４Ｂ、及び中間プレート５は、例えば剛性が高い金属（例えば鉄）によって矩形の板状に形成されている。
【００２０】
エンドプレート４Ａ，４Ｂ、中間プレート５、及び各電池ユニット２のセルホルダ１０（後述）には、ボルトＢが挿通されている。ボルトＢは、電池モジュール１の上下に２つずつ配置されている。ボルトＢは、エンドプレート４Ｂからエンドプレート４Ａに向けて挿通され、エンドプレート４Ａ側でナット（不図示）に螺合されている。これにより、各電池ユニット２が挟持されている。また、各電池ユニット２の電池セル７（後述）及び弾性体６には、ナットの締結力によって、配列方向Ｄ１に所定の拘束荷重が付加される。
【００２１】
中間プレート５とエンドプレート４Ｂとの間には、弾性体６が配置されている。弾性体６は、各電池ユニット２の電池セル７に膨張が生じた場合に、拘束荷重による電池セル７、エンドプレート４Ａ，４Ｂ、及び拘束部材（ボルトＢ及びナット）の破損を防止する目的で用いられる部材である。弾性体６は、例えばウレタン製のゴムスポンジによって矩形の板状に形成されている。弾性体６の他の形成材料としては、例えばエチレンプロピレンジエンゴム（ＥＰＤＭ）、クロロプレンゴム、シリコンゴム等が挙げられる。
【００２２】
配列体３の上部には、複数のセルホルダ１０の上端開口を塞ぐように、カバー９が配置されている。カバー９の上面には、電池モジュール１に関する各種制御を行う制御装置８が配置されている。
【００２３】
図２は、電池ユニット２の分解斜視図である。図２に示すように、電池ユニット２は、電池セル７と、電池セル７を保持するセルホルダ１０とを有する。なお、図２においては、後述する支持部２２が設けられるセルホルダ１０が図示されている。支持部２２が設けられないセルホルダ１０の構成は、図２に示す構成のうち支持部２２を省略した構成と一致する。
【００２４】
電池セル７は、例えばリチウムイオン二次電池等の非水電解質二次電池である。電池セル７は、非水系の電解液が注入されたケース１１内に電極組立体を収容して構成されている。電極組立体は、正極、負極、及びセパレータを所定の順序で積層したものである。一例として、袋状のセパレータ内にシート状の正極が収容されており、正極が収容された袋状のセパレータとシート状の負極とが交互に積層されている。
【００２５】
ケース１１の上部には、正極端子１２及び負極端子１３が絶縁リング１４を介して取り付けられている。正極端子１２は、正極シートと電気的に接続されている。負極端子１３は、負極シートと電気的に接続されている。なお、ケース１１内には、電解液（図示せず）が充填されている。
【００２６】
セルホルダ１０は、樹脂により一体成形された枠体状の部材である。セルホルダ１０は、電池セル７が載置される底壁部１５と、底壁部１５の両端に立設され、電池セル７を幅方向に挟む一対の側壁部１６と、各側壁部１６同士を連結する連結部１７とを有する。底壁部１５と側壁部１６と連結部１７とに囲まれる空間は、電池セル７が収容される収容領域Ｓを画成している。
【００２７】
連結部１７の両端部の上部には、電池セル７の正極端子１２及び負極端子１３の一部を囲う端子収容部１８がそれぞれ設けられている。連結部１７における端子収容部１８よりも幅方向Ｄ２内側の上部には、ボルトＢが貫通する貫通孔１９ａを有するボルトガイド部１９がそれぞれ設けられている。底壁部１５の両端部の下部には、ボルトＢが貫通する貫通孔２０ａを有するボルトガイド部２０がそれぞれ設けられている。
【００２８】
側壁部１６の幅方向Ｄ２外側を向く側面１６ａには、断面円形状のハーネス２１（図１参照）を支持する支持部２２が上下に２つずつ設けられている。支持部２２は、セルホルダ１０の一方の側面１６ａに一体的に設けられている。支持部２２は、セルホルダ１０の側面１６ａから幅方向Ｄ２外側に向けて延びるように突出し、ハーネス２１をセルホルダ１０の高さ方向（上下方向）に挟んで係止する一対の係止片２２ａ，２２ｂを有する。支持部２２が設けられた側面１６ａは、配列方向Ｄ１に沿うと共に幅方向Ｄ２に交差する配列体３の外面３ａの一部を構成している。
【００２９】
なお、本実施形態では一例として、支持部２２は、配列方向Ｄ１に沿って１つ置きに配置されたセルホルダ１０（本実施形態では、図１の図示左奥側から２番目、４番目、及び６番目に位置する３つのセルホルダ１０）に設けられている。
【００３０】
図１に示すように、本実施形態では、配列体３の外面３ａの上端部分及び下端部分のそれぞれにおいて、ハーネス２１が配置されている。各ハーネス２１は、配列体３の外面３ａに沿って配列方向Ｄ１に延在している。図１の例では、上側のハーネス２１は、制御装置８と接続される通信ハーネスであり、下側のハーネス２１は、電池セル７と接続されるパワーハーネスである。パワーハーネスは、複数の正極（＋）及び負極（−）の電源線を束にした集合体である。通信ハーネスは、複数の信号線を束にした集合体である。ただし、ハーネス２１の種類は、これらに限定されない。また、各ハーネス２１が外面３ａにおいて設けられる位置についても、この例に限定されない。
【００３１】
次に、エンドプレート４Ａ，４Ｂの詳細な構成について説明する。エンドプレート４Ａ，４Ｂのそれぞれは、把持部２３と取付部２４とを有する。
【００３２】
把持部２３は、配列方向Ｄ１に交差する矩形の板状部材である。上述の通り、把持部２３には、配列方向Ｄ１に沿って延びる複数のボルトＢが挿通されている。把持部２３の幅方向Ｄ２における先端部分には、突出部２５が形成されている。突出部２５は、把持部２３の幅方向Ｄ２における先端部分のうち、支持部２２が設けられた外面３ａよりも外方に突出する部分である。本実施形態では、把持部２３の先端部分は、配列方向Ｄ１に延在する下側のハーネス２１との干渉を防ぐために、配列方向Ｄ１から見て下側のハーネス２１と重なる部分を含む一部分が切り欠かれた形状をなしている。すなわち、突出部２５は、把持部２３の幅方向Ｄ２における先端部分のうち、上記の切欠き部分を除いた部分に形成されている。
【００３３】
取付部２４は、把持部２３の先端部分とは反対側の基端部分において外側に立設された矩形の板状部材である。取付部２４には、電池モジュール１を電池パックの筐体（図示せず）に固定するためのボルト（図示せず）が挿通される複数の挿通孔２４ａが設けられている。
【００３４】
次に、図３を参照して、突出部２５、支持部２２、及びハーネス２１の位置関係について説明する。図３は、電池モジュール１の突出部２５、支持部２２、及びハーネス２１を含む部分の平面図である。なお、図３では、上側のハーネス２１及び当該ハーネス２１を支持する支持部２２を省略して図示している。すなわち、図３に示すハーネス２１及び支持部２２は、下側のハーネス２１及び支持部２２である。
【００３５】
図３に示すように、外面３ａに対する突出部２５の突出量ｄ１は、外面３ａに対する支持部２２の突出量ｄ２よりも大きくなるように設定されている。ここで、突出量ｄ１は、幅方向Ｄ２（外面３ａに交差する方向）における外面３ａと突出部２５の先端との距離である。また、突出量ｄ２は、幅方向Ｄ２における外面３ａと支持部２２の先端（係止片２２ａ，２２ｂの幅方向Ｄ２における端部のうち最も外側に位置する端部）との距離である。上述のように突出量ｄ１が設定されることにより、仮にエンドプレート４Ａ，４Ｂ間の幅よりも大きい幅を有する物体（例えば電池モジュール１を収容する筐体の壁部等）が配列体３の外面３ａに対して押し寄せたとしても、エンドプレート４Ａ，４Ｂによって支持部２２及びハーネス２１を保護することができる。すなわち、エンドプレート４Ａ，４Ｂの突出部２５が物体に当たることにより、物体と外面３ａとの距離が突出部２５の突出量ｄ１よりも小さくならない。これにより、物体が支持部２２又はハーネス２１を押し潰してしまうことを抑制できる。従って、電池モジュール１によれば、電池モジュール１の外面３ａに配置されたハーネス２１の損傷（断線等）を抑制することができる。
【００３６】
ここで、エンドプレート４Ａ，４Ｂ間の幅よりも大きい幅を有する物体（例えば電池モジュール１を収容する筐体の壁部等）が配列体３の外面３ａに対して押し寄せた場合、仮に突出部２５が設けられていなくても、支持部２２の先端部によってある程度の荷重に耐えることができるとも考えられる。しかし、支持部２２は、セルホルダ１０と同一の樹脂部材で形成されており、金属製のエンドプレート４Ａ，４Ｂよりも強度が弱いため、荷重が大きい場合、支持部２２が破損するおそれがある。また、支持部２２自体の強度を高くしても、支持部２２が設けられているセルホルダ１０の側壁部１６が荷重に耐えることができない。そこで、電池モジュール１では、一対のエンドプレート４Ａ，４Ｂにおいて、支持部２２よりも強度が高く、突出量ｄ１が上述のように設定された突出部２５を設けることで、電池モジュール１の外面３ａに配置されるハーネス２１が適切に保護される。
【００３７】
なお、突出量ｄ１は、突出量ｄ２と等しくなるように設定されてもよい。この場合であっても、上述同様の効果が得られる。
【００３８】
［第２実施形態］
図４は、第２実施形態の電池モジュール１Ａの突出部２５、支持部２２、及びハーネス２１を含む部分の平面図である。図４では、上側のハーネス２１及び当該ハーネス２１を支持する支持部２２を省略して図示している。すなわち、図４に示すハーネス２１及び支持部２２は、下側のハーネス２１及び支持部２２である。
【００３９】
電池モジュール１Ａでは、ハーネス２１において支持部２２に支持されていない少なくとも一部分に、ハーネス２１の外周面を覆う被覆部材２６が設けられている。被覆部材２６は、例えば、ハーネス２１の外表面を傷つけるおそれのある部材（例えばエンドプレート４Ａ，４Ｂ等の金属部材）との接触によるハーネス２１の損傷（断線等）を防止するために、これらの部材に近い位置を通るハーネス２１の一部分に設けられている。
【００４０】
図４に示すように、電池モジュール１Ａでは、突出部２５の突出量ｄ１は、支持部２２の突出量ｄ２より大きく、且つ、ハーネス２１において被覆部材２６が設けられている部分（被覆部２７）の直径ｄ３よりも大きくなるように設定されている。
【００４１】
ハーネス２１において被覆部材２６が設けられている部分（被覆部２７）の直径ｄ３は、被覆部材２６が設けられていない部分の直径よりも被覆部材２６の厚さ分だけ大きくなる。その結果、支持部２２の突出量ｄ２よりも被覆部２７の直径ｄ３の方が大きくなる場合がある（図４参照）。このとき、仮に突出部２５の突出量ｄ１が被覆部２７の直径ｄ３よりも短いとすると、エンドプレート４Ａ，４Ｂ間の幅よりも大きい幅を有する物体（例えば電池モジュール１を収容する筐体の壁部等）が配列体３の外面３ａに対して押し寄せた場合、被覆部２７が物体によって圧迫されることになる。そして、圧迫の強さが大きい場合、被覆部２７においてハーネス２１の損傷（断線等）が発生するおそれがある。一方、電池モジュール１Ａでは、上述の通り、エンドプレート４Ａ，４Ｂの突出部２５の突出量ｄ１は、支持部２２の突出量ｄ２より大きく、且つ被覆部２７の直径ｄ３よりも大きくなるように設定されている。従って、ハーネス２１の一部に被覆部材２６が設けられる場合にも、ハーネス２１の損傷を適切に抑制することができる。
【００４２】
なお、突出量ｄ１は、支持部２２の突出量ｄ２及び被覆部２７の直径ｄ３の大きい方と等しくなるように設定されてもよい。この場合であっても、上述同様の効果が得られる。
【００４３】
［第３実施形態］
図５は、第３実施形態の電池モジュール１Ｂの突出部２８、支持部２２、及びハーネス２１を含む部分の平面図である。図５では、上側のハーネス２１及び当該ハーネス２１を支持する支持部２２を省略して図示している。すなわち、図５に示すハーネス２１及び支持部２２は、下側のハーネス２１及び支持部２２である。
【００４４】
電池モジュール１Ｂは、突出部２５を有するエンドプレート４Ａ，４Ｂの代わりに、突出部２８を有するエンドプレート１０４Ａ，１０４Ｂを備える点で、電池モジュール１と相違する。突出部２８は、幅方向Ｄ２に延在する矩形板状の延在部２９と、延在部２９の先端部において配列方向Ｄ１に立設された矩形板状の立設部３０とを有する点で、突出部２５と相違する。
【００４５】
突出部２８は、延在部２９と立設部３０とにより、上下方向から見て略Ｌ字状をなしている。本実施形態では、各エンドプレート１０４Ａ，１０４Ｂにおいて、立設部３０は、配列方向Ｄ１において内側（配列体３が設けられている側）に向かって延在している。立設部３０は、例えばエンドプレート４Ａ，４Ｂを形成する過程において、エンドプレート４Ａ，４Ｂの先端側を折り曲げる曲げ加工等により形成される。或いは、立設部３０は、把持部２３の先端部（延在部２９の先端部）に板状の金属板を溶接又はボルト締結等で連結することによって形成されてもよい。
【００４６】
図５に示すように、電池モジュール１Ｂにおいては、立設部３０の外面３０ａが突出部２８の先端となる。すなわち、幅方向Ｄ２における外面３ａと外面３０ａとの距離が突出部２８の突出量ｄ１として規定される。電池モジュール１Ｂによれば、突出部２８において配列方向Ｄ１に折れ曲がる立設部３０が形成されることで、エンドプレート１０４Ａ，１０４Ｂの剛性を高めることができる。さらに、配列体３の外面３ａに対して物体が押し寄せた際に、立設部３０の側面全体（外面３０ａ）によって、より確実に物体を受け止めることができる。
【００４７】
なお、延在部２９及び立設部３０の内側に形成される空間Ｓ１は、ハーネス２１を通す収容空間として利用されてもよい。また、立設部３０は、配列方向Ｄ１において外側に向かって延在していてもよいが、電池パックの筐体への電池モジュール１の取付作業を円滑に行う観点から、配列方向Ｄ１において内側に向かって延在していることが好ましい。具体的には、立設部３０を配列方向Ｄ１において外側に向けて延在させた場合、立設部３０は、幅方向Ｄ２において取付部２４の挿通孔２４ａ（或いは挿通孔２４ａの周辺部分）と重なるおそれがある。この場合、挿通孔２４ａにボルトを通して電池モジュール１を筐体に取り付ける際に、立設部３０が邪魔になり、電池モジュール１の取付作業を阻害するおそれがある。一方、立設部３０を配列方向Ｄ１において内側に向けて延在させた場合、立設部３０は、幅方向Ｄ２において取付部２４の挿通孔２４ａと重ならないので、挿通孔２４ａにボルトを通して電池モジュール１を筐体に取り付ける際に、立設部３０が邪魔にならない。
【００４８】
［第４実施形態］
図６は、第４実施形態の電池モジュール１Ｃの電池ユニット２Ａの分解斜視図である。図７は、電池モジュール１Ｃの突出部２５、支持部２２、及びハーネス２１を含む部分の平面図である。図７では、上側のハーネス２１及び当該ハーネス２１を支持する支持部２２を省略して図示している。すなわち、図７に示すハーネス２１及び支持部２２は、下側のハーネス２１及び支持部２２である。図６に示すように、電池ユニット２Ａは、伝熱プレート３１を有する点で、電池ユニット２と相違する。
【００４９】
伝熱プレート３１は、配列方向Ｄ１に互いに隣接する電池セル７の間に配置される板状の部材である。伝熱プレート３１は、金属製の板材をＬ字状に屈曲させることで形成されており、矩形板状の本体部３２と、本体部３２の長手方向一端から直角に屈曲する矩形板状の屈曲部３３とを有する。本体部３２は、電池セル７の配列方向Ｄ１に交差する面（図６の主面１１ａ）に接触して配置される。屈曲部３３は、電池セル７の幅方向Ｄ２に交差する一方の面に接触して配置される。
【００５０】
伝熱プレート３１の本体部３２は、配列方向Ｄ１に互いに隣接するセルホルダ１０の間を通り、配列体３の外面３ａ（セルホルダ１０の側面１６ａ）よりも外側に延在する延在部３４を有する。ここで、延在部３４は、外面３ａに沿って配置されるハーネス２１と干渉しないようになっている。すなわち、本体部３２において外面３ａよりも外側に延在させると下側のハーネス２１と干渉する部分については、外面３ａよりも外側に延在しないように本体部３２の一部が切り欠かれた切欠き部３２ａが形成されている。
【００５１】
図７に示すように、外面３ａに対する延在部３４の突出量ｄ４は、支持部２２の突出量ｄ２よりも大きくなるように設定されている。この構成によれば、エンドプレート４Ａ，４Ｂ間の幅よりも小さい幅を有する物体が配列体３の外面３ａに押し寄せてきた場合にも、伝熱プレート３１の延在部３４によって物体を受け止めることができる。これにより、配列体３の外面３ａに配置されたハーネス２１の損傷を一層効果的に抑制することができる。
【００５２】
なお、延在部３４の突出量ｄ４は、支持部２２の突出量ｄ２と等しくなるように設定されてもよい。また、ハーネス２１に被覆部２７（図４参照）が設けられる場合には、延在部３４の突出量ｄ４は、支持部２２の突出量ｄ２及び被覆部２７の直径ｄ３の大きい方の値以上となるように設定されてもよい。この場合であっても、上述同様の効果が得られる。
【００５３】
［第５実施形態］
図８は、第５実施形態の電池モジュール１Ｄの外観を示す斜視図である。電池モジュール１Ｄは、一対のエンドプレート４Ａ，４Ｂの代わりに、一対のエンドプレート２０４Ａ，２０４Ｂを有する点で、電池モジュール１と相違する。エンドプレート２０４Ａ，２０４Ｂは、突出部２５を有する把持部２３の代わりに、突出部３５を有する把持部２３Ａを備える点で、エンドプレート４Ａ，４Ｂと相違する。また、セルホルダ１０の外面３ａに設けられた上下の支持部２２の位置は、第１〜第４実施形態と比較して、外面３ａにおける上下方向中央寄りに変更されている。
【００５４】
突出部３５は、上下方向（配列方向Ｄ１と幅方向Ｄ２とに交差する方向）に対向する一対の突出部分３５ａ，３５ｂを有する。突出部分３５ａは、把持部２３Ａの上端部分を幅方向Ｄ２に突出させることで形成された矩形板状の部分である。突出部分３５ｂは、把持部２３Ａの下端部分を幅方向Ｄ２に突出させることで形成された矩形板状部分である。本実施形態では、突出部分３５ａと突出部分３５ｂとの間に形成される空間Ｓ２は、配列方向Ｄ１に延在するハーネス２１が通るための空間として利用されている。
【００５５】
電池モジュール１Ｄによれば、一対のエンドプレート２０４Ａ，２０４Ｂ間の幅よりも大きい幅を有する物体（例えば電池モジュール１を収容する筐体の壁部等）が配列体３の外面３ａに対して押し寄せた場合、上下方向において、各エンドプレート２０４Ａ，２０４Ｂの一対の突出部分３５ａ，３５ｂによってバランス良く荷重を支えることができる。
【００５６】
なお、本発明は、上述した実施形態に限定されるものではない。
【００５７】
例えば、支持部２２は、一対の係止片２２ａ，２２ｂでハーネス２１を上下方向に挟む構造のものに限られない。支持部２２は、例えば配列方向Ｄ１から見てＬ字状に構成されていてもよい。また、支持部２２は、セルホルダ１０と一体形成された部材でなくてもよく、セルホルダ１０に対して後から取り付けられる部材であってもよい。また、支持部２２は、複数のセルホルダ１０（例えば互いに隣接する２つのセルホルダ１０）に跨って取り付けられていてもよい。また、上記各実施形態で説明した各構成は、適宜組み合わせることができる。
【符号の説明】
【００５８】
１…電池モジュール、２…電池ユニット、３…配列体、３ａ…外面、４Ａ，４Ｂ，１０４Ａ，１０４Ｂ，２０４Ａ，２０４Ｂ…エンドプレート、７…電池セル、１０…セルホルダ、１６ａ…側面、２１…ハーネス、２２…支持部、２５，２８，３５…突出部、２６…被覆部材、２７…被覆部、２９…延在部、３０…立設部、３１…伝熱プレート、３４…延在部、３５ａ，３５ｂ…突出部分。
【図１】
2018037182.tif 000003
【図２】
2018037182.tif 000004
【図３】
2018037182.tif 000005
【図４】
2018037182.tif 000006
【図５】
2018037182.tif 000007
【図６】
2018037182.tif 000008
【図７】
2018037182.tif 000009
【図８】
2018037182.tif 000010